(57)【要約】【課題】生体に好影響を与えることが注目されているマイナスイオンを、電動送風機の運転停止状態においても常時発生させて効果的に掃除機本体外に放出する電気掃除機を提供することにある。【解決手段】電動送風機１９を収納する電動送風機室２０と集塵室５を有し、電動送風機１９の排気を掃除機本体１外部に排気する排気口２３を設け、集塵室５から排気口２３へ至る通風路に、モナザイト、或いは希土類元素を含有する塗料を塗布したマイナスイオン発生体２７、３９、４０、または、モナザイト、或いは希土類元素を含有する材料にて形成したマイナスイオン発生体を配置し、または、掃除機本体１を構成する部品をモナザイト、或いは希土類元素を含有する材料にて形成する。【選択図】　図２
2004024416.tif 000002
【特許請求の範囲】
【請求項１】
電動送風機を収納する電動送風機室及び集塵室を有する掃除機本体と、該掃除機本体に形成される排気口とを備え、前記掃除機本体に形成される排気の通風路に、マイナスイオンを発生させる物質を含有するマイナスイオン発生体を配置したことを特徴とする電気掃除機。
【請求項２】
電動送風機を収納する電動送風機室及び集塵室を有する掃除機本体と、該掃除機本体に形成される排気口とを備え、前記掃除機本体に形成される排気の通風路に、マイナスイオンを発生させる物質を含有する塗装を施したことを特徴とする電気掃除機。
【請求項３】
電動送風機を収納する電動送風機室及び集塵室を有する掃除機本体と、該掃除機本体に形成される排気口とを備え、前記掃除機本体に形成される排気の通風路に、マイナスイオンを発生させる物質を含有する塗装を施した部材を配設したことを特徴とする電気掃除機。
【請求項４】
電動送風機を収納する電動送風機室及び集塵室を有する掃除機本体と、該掃除機本体に形成される排気口とを備え、前記掃除機本体に形成される排気の通風路に臨む部品に、マイナスイオンを発生させる物質を含有する塗装を施したことを特徴とする電気掃除機。
【請求項５】
電動送風機を収納する電動送風機室及び集塵室を有する掃除機本体と、該掃除機本体に形成される排気口とを備え、前記掃除機本体に形成される排気の通風路に臨む部品を、マイナスイオンを発生させる物質を含有する材料にて形成したことを特徴とする電気掃除機。
【請求項６】
電動送風機を内蔵する掃除機本体と、該掃除機本体に接続されるホースと、該ホースに接続される延長管と、該延長管に接続される床用吸込具とを備え、前記掃除機本体と、ホースと、延長管と、床用吸込具の少なくともいずれかに、マイナスイオンを発生させる物質を含有するマイナスイオン発生体を配置したことを特徴とする電気掃除機。
【請求項７】
電動送風機を内蔵する掃除機本体と、該掃除機本体に接続されるホースと、該ホースに接続される延長管と、該延長管に接続される床用吸込具とを備え、前記掃除機本体と、ホースと、延長管と、床用吸込具の少なくともいずれかを構成する部品に、マイナスイオンを発生させる物質を含有する塗装を施したことを特徴とする電気掃除機。
【請求項８】
電動送風機を内蔵する掃除機本体と、該掃除機本体に接続されるホースと、該ホースに接続される延長管と、該延長管に接続される床用吸込具とを備え、前記掃除機本体と、ホースと、延長管と、床用吸込具の少なくともいずれかに、マイナスイオンを発生させる物質を含有する塗装を施した部材を配置したことを特徴とする電気掃除機。
【請求項９】
電動送風機を内蔵する掃除機本体と、該掃除機本体に接続されるホースと、該ホースに接続される延長管と、該延長管に接続される床用吸込具とを備え、前記掃除機本体と、ホースと、延長管と、床用吸込具の、少なくともいずれかを構成する部品を、マイナスイオンを発生させる物質を含有する材料にて形成したことを特徴とする電気掃除機。
【請求項１０】
電動送風機を内蔵する掃除機本体と、該掃除機本体に接続されるホースと、該ホースに接続される延長管と、該延長管に接続される床用吸込具とを備え、前記掃除機本体と、ホースと、延長管と、床用吸込具の、少なくともいずれかに、マイナスイオンを発生させる物質を含有する材料にて形成した部品を配置したことを特徴とする電気掃除機。
【請求項１１】
前記マイナスイオンを発生させる物質として、モナザイトとトリウムとトルマリンと希土類元素のいずれかを用いたことを特徴とする請求項１から１０に記載の電気掃除機。
【発明の詳細な説明】
【０００１】
【産業上の利用分野】
本発明は、電気掃除機に関し、特に、マイナスイオンを供給し得る電気掃除機に関する。
【０００２】
【従来の技術】
従来、電気掃除機は、衣類や寝具等の繊維、人間やペットの毛、カビやダニ、花粉などの塵埃等を効率よく集塵することを課題として様々な工夫がなされてきた。
【０００３】
しかしながら、電気掃除機は、掃除目的以外には、利用されていないのが実状である。
【０００４】
【発明が解決しようとする課題】
近年、マイナスイオンが生理作用を活性化し、生体に対して好影響を与えることが注目されている。
【０００５】
そこで、電気掃除機の排気にマイナスイオンを付加することが考えられる。マイナスイオンの発生方法としては、対向する電極間に高電圧を印加して放電させる方法が知られている。
【０００６】
この方法を電気掃除機に採用した場合には、マイナスイオンの発生と合わせて、人体に有害なオゾンが発生すると共に、電極や高電圧電源等を必要とし、装置が大型化し、高価となるなどの問題があった。
【０００７】
本願は、上記問題点に鑑みなされたもので、生体に好影響を与えることが注目されているマイナスイオンを効果的に発生させる電気掃除機を提供することを課題とする。
【０００８】
【課題を解決するための手段】
本発明の第１の手段は、電動送風機を収納する電動送風機室及び集塵室を有する掃除機本体と、該掃除機本体に形成される排気口とを備え、前記掃除機本体に形成される排気の通風路に、マイナスイオンを発生させる物質を含有するマイナスイオン発生体を配置したことを特徴とする。
【０００９】
本発明の第２の手段は、電動送風機を収納する電動送風機室及び集塵室を有する掃除機本体と、該掃除機本体に形成される排気口とを備え、前記掃除機本体に形成される排気の通風路に、マイナスイオンを発生させる物質を含有する塗装を施したことを特徴とする。
【００１０】
本発明の第３の手段は、電動送風機を収納する電動送風機室及び集塵室を有する掃除機本体と、該掃除機本体に形成される排気口とを備え、前記掃除機本体に形成される排気の通風路に、マイナスイオンを発生させる物質を含有する塗装を施した部材を配設したことを特徴とする。
【００１１】
本発明の第４の手段は、電動送風機を収納する電動送風機室及び集塵室を有する掃除機本体と、該掃除機本体に形成される排気口とを備え、前記掃除機本体に形成される排気の通風路に臨む部品に、マイナスイオンを発生させる物質を含有する塗装を施したことを特徴とする。
【００１２】
本発明の第５の手段は、電動送風機を収納する電動送風機室及び集塵室を有する掃除機本体と、該掃除機本体に形成される排気口とを備え、前記掃除機本体に形成される排気の通風路に臨む部品を、マイナスイオンを発生させる物質を含有する材料にて形成したことを特徴とする。
【００１３】
本発明の第６の手段は、電動送風機を内蔵する掃除機本体と、該掃除機本体に接続されるホースと、該ホースに接続される延長管と、該延長管に接続される床用吸込具とを備え、前記掃除機本体と、ホースと、延長管と、床用吸込具の、少なくともいずれかに、マイナスイオンを発生させる物質を含有するマイナスイオン発生体を配置したことを特徴とする。
【００１４】
本発明の第７の手段は、電動送風機を内蔵する掃除機本体と、該掃除機本体に接続されるホースと、該ホースに接続される延長管と、該延長管に接続される床用吸込具とを備え、前記掃除機本体と、ホースと、延長管と、床用吸込具の、少なくともいずれかを構成する部品に、マイナスイオンを発生させる物質を含有する塗装を施したことを特徴とする。
【００１５】
本発明の第８の手段は、電動送風機を内蔵する掃除機本体と、該掃除機本体に接続されるホースと、該ホースに接続される延長管と、該延長管に接続される床用吸込具とを備え、前記掃除機本体と、ホースと、延長管と、床用吸込具の少なくともいずれかに、マイナスイオンを発生させる物質を含有する塗装を施した部材を配置したことを特徴とする。
【００１６】
本発明の第９の手段は、電動送風機を内蔵する掃除機本体と、該掃除機本体に接続されるホースと、該ホースに接続される延長管と、該延長管に接続される床用吸込具とを備え、前記掃除機本体と、ホースと、延長管と、床用吸込具の、少なくともいずれかを構成する部品を、マイナスイオンを発生させる物質を含有する材料にて形成したことを特徴とする。
【００１７】
本発明の第１０の手段は、電動送風機を内蔵する掃除機本体と、該掃除機本体に接続されるホースと、該ホースに接続される延長管と、該延長管に接続される床用吸込具とを備え、前記掃除機本体と、ホースと、延長管と、床用吸込具の、少なくともいずれかに、マイナスイオンを発生させる物質を含有する材料にて形成した部品を配置したことを特徴とする。
【００１８】
前記マイナスイオンを発生させる物質を、モナザイトとトリウムとトルマリンと希土類元素のいずれかを用いることが好ましい。
【００１９】
【発明の実施の形態】
本発明の第１の実施の形態を図１から図７に基づいて以下に詳述する。図１は掃除機本体の外観斜視図、図２は掃除機本体の断面図、図３は図２とは異なる方向の掃除機本体の断面図、図４は排気部分の構成を示す分解斜視図、図５は掃除機本体からホイールキャップを取り外した状態の掃除機本体の側面図、図６はカバー体及び集塵蓋を取り外した状態の掃除機本体の上面図、図７は電気掃除機の収納状態を示す側面図である。
【００２０】
１は下ケース２、上ケース３及び上ケース３の後方上部を覆うカバー体４からなる掃除機本体で、前方に上方を開口した集塵室５を形成すると共に、後方には電動送風機室６と電動送風機室６のさらに後方にコードリース室７を形成している。８は前記集塵室５の上面開口を開閉自在に閉塞する集塵蓋で、前記掃除機本体１に上下方向に揺動自在に枢支されている。
【００２１】
９は前記掃除機本体１前部に形成されるホース接続口で、図７に示すごとく、ホース１０の一端が着脱自在に接続され、該ホース１０他端に延長管１１の一端が着脱自在に接続され、該延長管１１の他端に床用吸込具１２が着脱自在に接続される。
【００２２】
１３は前記集塵室５内に着脱自在に収納される集塵袋で、集塵室５内に装着した状態で、台紙１４に形成した吸塵孔１５を前記ホース接続口９に連通するようになっている。
【００２３】
１６は前記集塵室５と電動送風機室６とを区画する隔壁で、前記集塵室５と電動送風機室６とを連通する連通口１７が形成されており、該連通口１７の集塵室５側にフィルター１８が着脱自在に装着されている。
【００２４】
１９は前記電動送風機室６内に収納される電動送風機で、吸気口１９ａが前記連通口１８を介して集塵室５に連通している。２０は前記電動送風機１９を囲繞する合成樹脂製の電動送風機ケースで、前記掃除機本体１の底面側に吐出口２１を形成しており、該吐出口２１に排気フィルター２２が装着されている。
【００２５】
２３は前記掃除機本体１後方両側に形成された排気口で、該排気口２３周縁に掃除機本体１外側に向かって環状のリブ２４が形成され、該リブ２４外周に後車輪２５が回動自在に支持されている。２６は前記掃除機本体１の排気口２３を覆うように掃除機本体１外側から装着される排気枠となるホイールカバーで、該ホイールカバー２６を装着することにより後車輪２５の抜け止めを行うようになっている。
【００２６】
２７はマイナスイオンを発生させるマイナスイオン発生体で、前記ホイールカバー２６を掃除機本体１に装着することにより、マイナスイオン発生体２７の掃除機本体１側に位置する活性炭を有する消臭フィルター２８と共に、掃除機本体１の排気口２３とホイールカバー２６との間に挟持されるようになっている。前記マイナスイオン発生体２７は、多数の孔を有する通気性を有する薄板状の基材の表面に、天然放射性物質であるモナザイトを含有する塗料を塗装している。この塗料には、モナザイト以外に、ＳｉＯ２、Ａｌ２Ｏ３、Ｆｅ２Ｏ３、ＭｇＯ、Ｎａ２Ｏ、ＴｉＯ２等の材料を加えている。前記マイナスイオン発生体２７からは、モナザイトから放射される放射線と前記材料等からの金属イオンと空気中の水分とが反応し、マイナスイオンが常時発生する。
【００２７】
前記マイナスイオン発生体２７の基材は、本実施の形態では、塗装を１６０度程度で乾燥させるために耐熱性を有するアルミニウムや鉄などの金属により形成しているが、低温で乾燥させる場合などには、必要に応じてセラミックや紙などの適宜材料から選択してもよい。
【００２８】
２９は前記電動送風機ケースの吐出口２１と排気口２３との間に、前記掃除機本体１の下ケース２から上方に向かって立設された案内体となる案内壁で、前記吐出口２１からの排気を電動送風機室６上方に配設される後述の光触媒３４に向かって案内するようになっている。
【００２９】
３０は前記コードリール室７内に配設されるコードリールで、回転軸３１を掃除機本体１の前後方向に向けて枢支している。
【００３０】
３２は前記集塵室６上方の上ケース３とカバー体４との間に形成される光触媒収納室で、前記上ケース３が構成する光触媒収納室３２の底面部分が多数の通気孔３３を有する格子状に形成されている。３４は前記光触媒収納室３２に収納される光触媒で、本発明の実施の形態では、ハニカム状に形成された基材表面に、酸化チタン等の光触媒機能を有する物質によって光触媒層を形成したものを用いている。前記光触媒３４は、光触媒収納室３２底面から立設した複数の支持リブ３５により掃除機本体１後方側が高くなるように支持されている。前記カバー体４は光触媒収納室３２の上方位置が開口しており、この上方開口を、外部光を透過させる透明または半透明の材料からなる透光部材３６により閉塞している。前記透光部材３６は光触媒３４と同様に、掃除機本体１後方側が高くなるように形成されている。前記透光部材３６は、本実施の形態では、透明なＡＢＳ等の合成樹脂を用いているが、より紫外線を透過しやすいアクリルなどの合成樹脂、あるいはガラスなどを用いてもよい。
【００３１】
３７は前記掃除機本体１の背面に形成された支持脚で、図７に示すごとく、掃除機本体１背面を床面等に載置した状態で掃除機本体１を起立保持するようになっている。前記掃除機本体１の下面には、掃除機本体１背面を接地して起立保持した状態で、延長管１１を係止するために係止部３８が形成されている。
【００３２】
而して、吸込具本体１２から延長管１１及びホース１０を介して空気と共に掃除機本体１に吸引された塵埃等は、集塵室５内に装着される集塵袋１３により空気と分離され、塵埃等は集塵袋１３に蓄積され、空気はフィルタ１７を介して電動送風機１９に吸引され、電動送風機ケース２０の吐出口２１に装着された排気フィルター２２により濾過されて電動送風機室６内に排気される。
【００３３】
そして、吐出口２１からの排気は、案内壁２９により電動送風機室６内を上方に向かって案内され、通気孔３３を通過して光触媒収納室３２内の光触媒３４に接触し、光触媒３４の脱臭・殺菌効果により浄化される。浄化された排気は、案内壁２９の外側を通過し、さらに脱臭フィルター２８により脱臭されて排気口２３から掃除機本体１の外部に排気される。
【００３４】
光触媒３４は排気フィルター２２の下流側に配置しているので、表面にごみ等が付着することはなく、従って、ごみ等の付着により光触媒３４の脱臭・殺菌効果が低下することはなく、当初の性能を長期にわたり維持することができる。
【００３５】
マイナスイオン発生体２７は排気口２３に配設され、排気の通風路に配置されているので、排気口２３からの排気には、マイナスイオン発生体２７から発生するマイナスイオンが含有され、排気によってマイナスイオンを部屋内に拡散させる。
【００３６】
また、電動送風機１９の騒音は、電動送風機ケース２０、案内壁２９およびマイナスイオン発生体２７により遮音され、排気口２３から外部に漏れる騒音が低減される。
【００３７】
電気掃除機の収納時には、図７に示すごとく、掃除機本体１背面の脚部３７を床面に接地し、掃除機本体１のホース接続口９にホース１０及び延長管１１を介して床用吸込具１２を接続した状態で、掃除機本体１底面の係止部３８に延長管１１を係止する。
【００３８】
この収納状態においても、マイナスイオン発生体２７からマイナスイオンが発生し、ホイールカバー２６を介して部屋内に放出される。マイナスイオン発生体２７は、排気口２３に装着され、ホイールカバー２６の開口部から掃除機本体１の外部に臨んでいるので、マイナスイオン発生体２７から放出されたマイナスイオンが掃除機本体１外部に効率よく放出される。
【００３９】
マイナスイオン発生体２７は、排気フィルター２２と脱臭フィルター２８の下流側に配設されているので、表面にごみ等が付着することはなく、従って、ごみ等の付着によりイオンの放出が妨げられることがなく、当初の性能を長期にわたり維持することができる。
【００４０】
光触媒３４及び透光部材３６は、その上面が掃除機本体１背面側が高くなるように配置されているので、図７に示すように掃除機本体１背面を接地した電気掃除機の収納状態においても、部屋の窓から入る外部光を効率よく受けて脱臭・殺菌能力を維持することができる。
【００４１】
本発明の第２の実施の形態を図８に基づいて以下に詳述する。尚、上記第１の実施の形態と同一部品は同一符号を付して説明を省略する。
【００４２】
３９は前記電動送風機ケース２０の吐出口２１下方位置に配設されるマイナスイオン発生体で、コ字状に形成されており、中央位置を下ケース２に貼着し、両側を上方に折り曲げて排気の風路に臨ませている。４０は前記案内壁２９の電動送風機ケース２０側に貼着されるマイナスイオン発生体で、前記マイナスイオン発生体３９、４０は、上記第１の実施の形態と同様に、薄板状の基材の表面に、天然放射性物質であるモナザイトと前記材料を含有する塗料を塗装している。尚、マイナスイオン発生体３９は、少なくとも両端の上方に折り曲げた部分は多数の孔を形成して通気性を有しており、マイナスイオン発生体４０は、通気性を必要としないので、無孔に形成している。また、マイナスイオン発生体３９の中央部分の貼着面、及びマイナスイオン発生体４０の貼着面は、塗装を施さず、排気の通路に臨む面にのみ塗装を施している。
【００４３】
この構成においては、マイナスイオン発生体３９、４０は排気の通風路に配設しているので、マイナスイオン発生体３９、４０から発生したマイナスイオンは、電動送風機１９の排気と共に掃除機本体１外に排出され、部屋に拡散される。電動送風機１９の運転停止状態においても、マイナスイオン発生体３９、４０からマイナスイオンが発生し、排気口２３から自然に放出される。また、マイナスイオンは細菌の繁殖を抑制する作用があるといわれており、マイナスイオン発生体３９、４０から発生するマイナスイオンにより、排気フィルター２２や消臭フィルター２８での細菌の繁殖を抑制すると共に、電動送風機室６内での細菌の繁殖を抑制することができる。
【００４４】
上記各実施の形態においては、マイナスイオン発生体を、基材表面に、モナザイトと前記材料を含有する塗装を施したものを用いたが、モナザイトと前記材料を含有する合成樹脂などの材料にて任意の形状に形成したものをマイナスイオン発生体としてもよい。
【００４５】
また、掃除機本体１に形成される排気の通風路に、モナザイトと前記材料を含有する塗装を施してもよく、通風路に臨む部品、例えば電動送風機ケース２０などにモナザイトと前記材料を含有する塗装を施してもよい。
【００４６】
さらに、掃除機本体１を構成する部品、例えば、下ケース２、上ケース３、カバー体４、ホイールカバー２６、或いは電動送風機ケース２０などのいずれかを、モナザイトと前記材料を含有した合成樹脂などの材料にて形成してマイナスイオン発生体としてもよく、掃除機本体１を構成する部品、例えば、下ケース２、上ケース３、カバー体４、或いはホイールカバー２６などのいずれかを、モナザイトと前記材料を含有した塗料にて塗装を施してもよい。
【００４７】
下ケース２、上ケース３、カバー体４、ホイールカバー２６のように外部に露出する部品を、モナザイトと前記材料を含有した合成樹脂などの材料にて形成したり、モナザイトと前記材料を含有した塗料にて塗装を施した構成では、外表面からマイナスイオンが放出されるため、部屋内に効率よくマイナスイオンを放出することができる。
【００４８】
また、排気フィルター２８に、モナザイトと前記材料を分散配置し、この排気フィルター２８をマイナスイオン発生体としてもよい。
【００４９】
さらに、基材にモナザイトと前記材料を含有する塗装を施したマイナスイオン発生体を、ホース１０、延長管１１、床用吸込具１２のいずれかの適宜位置に配置してもよく、塗装をなくし、モナザイトと前記材料を含有する合成樹脂などの材料にて任意の形状に形成したものをマイナスイオン発生体として適宜位置に配置してもよい。また、ホース１０、延長管１１、床用吸込具１２を構成する部品のいずれかをモナザイトと前記材料を含有する合成樹脂等の材料にて形成してもよく、ホース１０、延長管１１、床用吸込具１２を構成する部品にモナザイトと前記材料を含有する塗料にて塗装を施してもよい。
【００５０】
マイナスイオン発生体を外部に臨ませた構成、または、ホース１０、延長管１１、床用吸込具１２を構成する部品のいずれかをモナザイトと前記材料を含有する合成樹脂等の材料にて形成したり、モナザイトと前記材料を含有する塗料にて塗装を施した構成では、外表面からマイナスイオンが放出されるため、部屋内に効率よくマイナスイオンを放出することができる。
【００５１】
以上は、所謂キャニスター型の電気掃除機に基づいて説明したが、図９に示すごとく、吸込具本体４１に対して掃除機本体４２を揺動自在に支持した所謂アップライト型電気掃除機に用いてもよい。アップライト型電気掃除機においても、キャニスター型電気掃除機と同様に、掃除機本体４２と吸込具本体４１の少なくとも一方の適宜位置に、基材にモナザイトと前記材料を含有する塗装を施した上記実施の形態と同様のマイナスイオン発生体を配置してもよく、塗装をなくし、モナザイトと前記材料を含有する材料にて任意の形状に形成したものをマイナスイオン発生体として適宜位置に配置してもよい。また、掃除機本体４２と吸込具本体４１の少なくとも一方を構成する部品のいずれかを、モナザイトと前記材料を含有する合成樹脂等の材料にて形成してもよく、掃除機本体４２と吸込具本体４１の少なくとも一方を構成する部品のいずれかに、モナザイトと前記材料を含有する塗料にて塗装を施してもよい。
【００５２】
さらに、本発明は、図１０に示すように、ハンディ型電気掃除機と称される小型電気掃除機に用いることもできる。この場合においても、掃除機本体４３の適宜位置に、基材にモナザイトと前記材料を含有する塗装を施した上記実施の形態と同様のマイナスイオン発生体を配置してもよく、塗装をなくし、モナザイトと前記材料を含有する合成樹脂等の材料にて任意の形状に形成したものをマイナスイオン発生体として適宜位置に配置してもよい。また、掃除機本体４３を構成する部品のいずれかに、モナザイトと前記材料を含有する合成樹脂等の材料にて形成してもよく、掃除機本体４３を構成する部品のいずれかを、モナザイトと前記材料を含有する塗料にて塗装を施してもよい。
【００５３】
また、上記実施の形態においては、マイナスイオン発生体２７として、モナザイトと前記材料を含有したものを用いたが、モナザイトだけを含有したものでもよい。この場合においても、モナザイトから放射された放射線が空気中の分子と衝突してマイナスイオンを発生させる。
【００５４】
モナザイトは、放射性物質としてトリウムを含有するため放射性を有するものであるため、モナザイトに換えて、トリウムを含有する他の鉱石や材料、抽出したトリウムなどを用いてもよい。また、マイナスイオンを常時放出すると言われるトルマリンや希土類元素を含有する鉱石や材料などを用いてもよい。
【００５５】
【発明の効果】
本発明の第１の手段は、マイナスイオンを発生させる物質を含有するマイナスイオン発生体を排気の通風路に配置したから、マイナスイオン発生体から常時発生するマイナスイオンを排気によって部屋に拡散させることができる。また、運転停止時においても、マイナスイオン発生体から発生するマイナスイオンを掃除機本体の排気口から放出させることができると共に、マイナスイオンにより掃除機本体内の細菌の繁殖を防止することができる等の効果を奏する。
【００５６】
本発明の第２の手段は、排気の通風路に、マイナスイオンを発生させる物質を含有する塗装を施したから、マイナスイオン発生体から常時発生するマイナスイオンを排気によって部屋に拡散させることができる。また、運転停止時においても、マイナスイオン発生体から発生するマイナスイオンを掃除機本体の排気口から放出させることができると共に、マイナスイオンにより掃除機本体内の細菌の繁殖を防止することができる等の効果を奏する。
【００５７】
本発明の第３の手段は、排気の通風路に、マイナスイオンを発生させる物質を含有する塗装を施した部材を配設したから、マイナスイオン発生体から常時発生するマイナスイオンを排気によって部屋に拡散させることができる。また、運転停止時においても、マイナスイオン発生体から発生するマイナスイオンを掃除機本体の排気口から放出させることができると共に、マイナスイオンにより掃除機本体内の細菌の繁殖を防止することができる等の効果を奏する。
【００５８】
本発明の第４の手段は、排気の通路に臨む部品に、マイナスイオンを発生させる物質を含有する塗装を施したから、マイナスイオン発生体から常時発生するマイナスイオンを排気によって部屋に拡散させることができる。また、運転停止時においても、マイナスイオン発生体から発生するマイナスイオンを掃除機本体の排気口から放出させることができると共に、マイナスイオンにより掃除機本体内の細菌の繁殖を防止することができる等の効果を奏する。
【００５９】
本発明の第５の手段は、排気の通風路に臨む部品を、マイナスイオンを発生させる物質を含有する材料にて形成したから、マイナスイオン発生体から常時発生するマイナスイオンを排気によって部屋に拡散させることができる。また、運転停止時においても、マイナスイオン発生体から発生するマイナスイオンを掃除機本体の排気口から放出させることができると共に、マイナスイオンにより掃除機本体内の細菌の繁殖を防止することができる等の効果を奏する。
【００６０】
本発明の第６の手段は、前記掃除機本体と、ホースと、延長管と、床用吸込具の少なくともいずれかに、マイナスイオンを発生させる物質を含有するマイナスイオン発生体を配置したから、マイナスイオン発生体から常時発生するマイナスイオンを排気によって部屋に拡散させることができる。また、運転停止時においても、マイナスイオン発生体から発生するマイナスイオンを掃除機本体の排気口から放出させることができると共に、マイナスイオンにより掃除機本体内の細菌の繁殖を防止することができる等の効果を奏する。
【００６１】
本発明の第７の手段は、前記掃除機本体と、ホースと、延長管と、床用吸込具の少なくともいずれかを構成する部品に、マイナスイオンを発生させる物質を含有する塗装を施したから、マイナスイオン発生体から常時発生するマイナスイオンを排気によって部屋に拡散させることができる。また、運転停止時においても、マイナスイオン発生体から発生するマイナスイオンを掃除機本体の排気口から放出させることができると共に、マイナスイオンにより掃除機本体内の細菌の繁殖を防止することができる等の効果を奏する。
【００６２】
本発明の第８の手段は、前記掃除機本体と、ホースと、延長管と、床用吸込具の少なくともいずれかに、マイナスイオンを発生させる物質を含有する塗装を施した部材を配置したから、マイナスイオン発生体から常時発生するマイナスイオンを排気によって部屋に拡散させることができる。また、運転停止時においても、マイナスイオン発生体から発生するマイナスイオンを掃除機本体の排気口から放出させることができると共に、マイナスイオンにより掃除機本体内の細菌の繁殖を防止することができる等の効果を奏する。
【００６３】
本発明の第９の手段は、前記掃除機本体と、ホースと、延長管と、床用吸込具の少なくともいずれかを構成する部品を、マイナスイオンを発生させる物質を含有する材料にて形成したから、マイナスイオン発生体から常時発生するマイナスイオンを排気によって部屋に拡散させることができる。また、運転停止時においても、マイナスイオン発生体から発生するマイナスイオンを掃除機本体の排気口から放出させることができると共に、マイナスイオンにより掃除機本体内の細菌の繁殖を防止することができる等の効果を奏する。
【００６４】
本発明の第１０の手段は、前記掃除機本体と、ホースと、延長管と、床用吸込具の少なくともいずれかに、マイナスイオンを発生させる物質を含有する材料にて形成した部品を配置したから、マイナスイオン発生体から常時発生するマイナスイオンを排気によって部屋に拡散させることができる。また、運転停止時においても、マイナスイオン発生体から発生するマイナスイオンを掃除機本体の排気口から放出させることができると共に、マイナスイオンにより掃除機本体内の細菌の繁殖を防止することができる等の効果を奏する。
【００６５】
本発明の請求項１１の構成によれば、マイナスイオンを発生させる物質として、モナザイトとトリウムとトルマリンと希土類元素のいずれかを用いたから、常時マイナスイオンを発生させることができ、部屋に効率よくマイナスイオンを放出することができる等の効果を奏する。
【図面の簡単な説明】
【図１】本発明の一実施の形態を示す掃除機本体の外観斜視図である。
【図２】同掃除機本体の断面図である。
【図３】同図２とは異なる方向の掃除機本体の断面図である。
【図４】同掃除機本体の排気部分の構成を説明する分解斜視図である。
【図５】同掃除機本体からホイールキャップを取り外した状態の掃除機本体の側面図である。
【図６】同カバー体及び集塵蓋を取り外した状態の掃除機本体の上面図である。
【図７】同掃除機本体の収納状態を示す側面図である。
【図８】本発明の第２の実施の形態を示す図２に対応する断面図である。
【図９】本発明を採用したアップライト型電気掃除機の側面図である。
【図１０】本発明を採用したハンディ型電気掃除機の側面図である。
【符号の説明】
１　　　掃除機本体
５　　　集塵室
６　　　電動送風機室
８　　　集塵蓋
１９　　　電動送風機
２０　　　電動送風機ケース
２１　　　吐出口
２２　　　排気フィルター
２３　　　排気口
２６　　　ホイールカバー
２７　　　マイナスイオン発生体
２８　　　消臭フィルター
３９　　　マイナスイオン発生体
４０　　　マイナスイオン発生体
【図１】
2004024416.tif 000003
【図２】
2004024416.tif 000004
【図３】
2004024416.tif 000005
【図４】
2004024416.tif 000006
【図５】
2004024416.tif 000007
【図６】
2004024416.tif 000008
【図７】
2004024416.tif 000009
【図８】
2004024416.tif 000010
【図９】
2004024416.tif 000011
【図１０】
2004024416.tif 000012